(57)【要約】【課題】汎用性の案内レールを使用可能で、かつ遊技盤面の薄暗くなる部位を照明して装飾性を向上し得る遊技機を提供する。【解決手段】遊技盤２０に略円弧状の案内レール２３を設けて遊技領域２１を画成し、該遊技領域２１内に図柄表示装置１８の周囲を装飾する装飾部材２５を配設する。そして、前記装飾部材２５の上端部に第１の発光手段３５を配設して、該第１の発光手段３５を点灯・点滅することにより前記遊技領域２１内の遊技盤面２０ａを照明するよう構成した。【選択図】図２
2006051117.tif 000002
【特許請求の範囲】
【請求項１】
遊技盤に設けた略円形状の案内レールにより画成される遊技領域に各種遊技部品を配設した遊技機において、
前記遊技部品に、前記遊技領域内の遊技盤面を照明する発光手段を配設した
ことを特徴とする遊技機。
【請求項２】
前記発光手段は、発光体と、該発光体の光を遊技盤面側へ反射する反射板とを備え、前記発光体の点灯時に、遊技盤面とは異なる方向へ照射された光を前記反射板が遊技盤面側に反射し得るよう構成した請求項１記載の遊技機。
【請求項３】
前記遊技領域の最上部に位置する遊技部品に前記発光手段を配設して、遊技盤面の上方位置を該発光手段で照明するよう構成した請求項１または２記載の遊技機。
【請求項４】
前記遊技領域に配設した所定条件の成立により開放する入賞装置から所定の距離離間する位置に前記遊技部品を配設すると共に、該遊技部品に配設した前記発光手段が前記入賞装置側を照明するよう構成される請求項１または２記載の遊技機。
【請求項５】
前記遊技領域には前方を照明する第２の発光手段を備えた第２の遊技部品が配設され、遊技領域内の遊技盤面を照明する前記発光手段は第２の遊技部品の配設位置以外の方向を照明するよう構成した請求項１〜４の何れかに記載の遊技機。
【発明の詳細な説明】
【技術分野】
【０００１】
本発明は、遊技盤に画成した遊技領域の内側に各種遊技部品が配設された遊技機に関するものである。
【背景技術】
【０００２】
代表的な遊技機であるパチンコ機は、遊技盤の盤面に略円形状に案内レールを設け、該案内レールの内側にパチンコ球が転動する遊技領域を画成すると共に、該遊技領域内に、液晶表示装置等を備えたセンター役物や、入賞装置、その他装飾ランプ等の各種遊技部品を配設するようになっている。また、前記各種遊技部品に、パチンコ機の前方(すなわち遊技者側)を照明するＬＥＤ等の発光手段を設けて、該発光手段を点灯・点滅等させることで、遊技盤の装飾性を高め、遊技の興趣を増大するよう構成される。なお、前記案内レールは、異なる機種であっても共通して使用される汎用部材であり、一方前記遊技部品は、遊技内容に合わせて各機種毎に設計される専用部材である。すなわち、パチンコ機の遊技性に関与しない案内レールを汎用部材とすることで、遊技盤の製造コストを抑制している。
【０００３】
ところで、前記遊技部品に配設した発光手段は、前述のようにパチンコ機の前方を照明するため、例えば案内レールの周辺等のように遊技領域の部位によっては遊技盤面が薄暗くなる。そこで、遊技盤の薄暗くなる部位を照明する技術として、前記球案内レールの一部に開口部を開設すると共に、案内レールの外側における該開口部と対応する位置に発光装置を配設するよう構成したものが提案されている(特許文献１参照)。すなわち、前記発光手段を点灯・点滅した際に、前記案内レールの開口部を介して遊技領域側に光が照射されることで、該案内レールの周辺を明るくして遊技盤の装飾性を向上するようになっている。
【特許文献１】特開２００４−８５９８号公報
【発明の開示】
【発明が解決しようとする課題】
【０００４】
しかしながら、特許文献１に係る遊技機のように、前記案内レールの外側に発光装置を配設する場合には、開口部が開設されていない一般的な案内レールをそのまま用いることができないため、前述のように案内レールに対して発光装置からの光を通す開口部を開設する必要があり、遊技盤の製造コストの増大に繋がる欠点がある。また、案内レールに開口部を開設することで、該案内レールに沿って打出されたパチンコ球が開口部の形成位置まで到来したときに、該パチンコ球の軌道が変化する虞がある。更に、案内レールの外側に発光装置を独立して設けなければならないため部品点数が増大すると共に、該発光装置用の型作成が必要とされるため、遊技盤製造コストが嵩む問題が指摘される。
そこで、本発明は、汎用性の案内レールを使用可能で、かつ遊技盤面の薄暗くなる部位を照明して装飾性を向上し得る遊技機を提供することを目的とする。
【課題を解決するための手段】
【０００５】
前記課題を克服し、所期の目的を達成するため、本発明に係る遊技機は、
遊技盤(20)に設けた略円弧状の案内レール(23)により画成される遊技領域(21)に各種遊技部品(25,41)を配設した遊技機において、
前記遊技部品(25,41)に、前記遊技領域(21)内の遊技盤面(20a)を照明する発光手段(35,45)を配設したことを特徴とする。
【０００６】
また、前記発光手段(35,45)は、発光体(37)と、該発光体(37)の光を遊技盤面(20a)側へ反射する反射板(38)とを備え、前記発光体(37)の点灯時に、遊技盤面(20a)とは異なる方向へ照射された光を前記反射板(38)が遊技盤面(20a)側に反射し得るよう構成することもできる。
【０００７】
更に、前記遊技領域(21)の最上部に位置する遊技部品(25)に前記発光手段(35)を配設して、遊技盤面(20a)の上方位置を該発光手段(35)で照明するよう構成してもよい。
【０００８】
更にまた、前記遊技領域(21)に配設した所定条件の成立により開放する入賞装置(32)から所定の距離離間する位置に前記遊技部品(41)を配設すると共に、該遊技部品(41)に配設した前記発光手段(45)が前記入賞装置(32)側を照明するよう構成することも可能である。
【０００９】
そして、前記遊技領域(21)に前方を照明する第２の発光手段(39)を備えた第２の遊技部品(25,31,33)が配設され、遊技領域(21)内の遊技盤面(20a)を照明する前記発光手段(35,45)は第２の遊技部品(25,31,33)の配設位置以外の方向を照明するようにしてもよい。
【発明の効果】
【００１０】
本発明の請求項１に係る遊技機によれば、遊技盤における遊技領域の内側に配設した遊技部品に発光手段を設け、該発光手段により遊技盤面を照明するよう構成したことで、遊技盤の装飾性を向上して、遊技の興趣を増大し得る。また、発光手段を遊技領域の内側に配設した遊技部品に設けたことで、案内レールに加工を施す必要がないから、汎用性を有する一般的な案内レールをそのまま使用でき、遊技盤製造コストの増大を防止し得る。なお、前記発光手段を遊技部品に配設することで、独立して発光装置を設ける場合のように発光装置用の型作成が必要ないため、遊技盤製造コストの抑制を図り得る。更に、案内レールを加工しないため、該案内レールに沿って打出したパチンコ球の軌道が変化することもなく、所期の遊技を行なうことができる。更にまた、遊技部品に発光手段を設けるよう構成したことで、遊技盤に発光装置の配設用開口部を新たに開設する必要がない。そして、遊技部品に配設される電気部品の配線と共に電源装置や制御装置に接続し得る利点がある。
【００１１】
また、請求項２に係る遊技機よれば、発光体の点灯時に遊技盤面とは異なる方向へ照射される光を、反射板により遊技盤面側に反射させることで、遊技盤面をより効率的に照明し得る。更に、請求項３に係る遊技機によれば、遊技領域の最上部に位置する遊技部品に発光手段を設け、遊技盤面の上方位置を照明することで、薄暗くなりやすい遊技盤面の上方位置の装飾性を効果的に向上させ得る。そして、請求項４に係る遊技機によれば、遊技者が最も注目する入賞装置側を前記発光手段が照明するよう構成したことで、装飾効果を一段と向上し得ると共に、該入賞装置への遊技球の入賞を見易くし得る。また、請求項５に係る遊技機よれば、前記遊技領域に前方を照明する第２の発光手段を備えた第２の遊技部品を配設した場合には、前記発光手段により該第２の遊技部品の配設位置以外の方向を照明するようにしたことで、当該第２の発光手段による発光演出を妨げることなく遊技盤の装飾効果を向上させ得る。
【発明を実施するための最良の形態】
【００１２】
次に、本発明に係る遊技機につき好適な実施例を挙げて、添付図面を参照しながら、以下詳細に説明する。なお実施例では、遊技機としてパチンコ球を遊技媒体として使用するパチンコ機を例として説明する。
【実施例】
【００１３】
先ず、実施例のパチンコ機について、図１を参照して説明する。本実施例のパチンコ機１０は、その基本的な構成として、外郭をなす外枠１１に対し、各種部品の搭載枠として機能する中枠１２が着脱および開閉可能に組付けられている。前記中枠１２は、全体が合成樹脂により前記外枠１１の開口領域に整合する外形サイズに成形されて、前後に開口するよう開設した遊技盤保持部(図示せず)に遊技盤２０を着脱交換可能に配設するようになっている。また、中枠１２の前側には、ガラス板を備えた前枠１３が着脱および開閉自在に枢支され、該前枠１３を閉成した際に前記遊技盤２０を透視可能に覆うよう構成される。更に、前記中枠１２における前枠１３の下方には、多数のパチンコ球を貯留可能な上球皿１４や下球皿１５が配設されると共に、該下球皿１５の右側に、上球皿１４に貯留したパチンコ球を遊技盤面２０ａ(遊技領域２１)に打出す打球発射装置１６等が配置されている。そして、前記中枠１２の後側に、前記パチンコ球が流通する球通路部等を備えた機構セット盤(図示せず)が配設されて、該機構セット盤にパチンコ機１０の各部を制御する多数の制御装置を取付けてある。
【００１４】
図２に示すように、前記遊技盤２０には、略円形状に湾曲形成した案内レール２３が配設されており、該案内レール２３の内側に前記パチンコ球が打出される遊技領域２１が画成されている。なお、前記案内レール２３は、外レール２３ａと、該外レール２３ａより小径に形成される内レール２３ｂとから構成されて、前記打球発射装置１６の操作により打出されたからパチンコ球は、外レール２３ａに沿って遊技領域２１に案内されるようになっている。そして、前記遊技盤２０における遊技領域２１の略中央位置に前後方向に開口するよう開設した第１の取付用開口部２４(図３参照)に、センター役物とも称される大型の装飾部材(遊技部品)２５が取付けられる。なお、前記装飾部材２５は、前記遊技盤２０に取付けた際に、遊技盤面２０ａから所定寸法だけ前方に突出するよう構成される。また、前記装飾部材２５には、前後に開口する可視表示部２６が開設されて、この可視表示部２６を介して遊技盤２０の裏側に配置される図柄表示装置１８が前方(遊技者側)に臨むようになっている。
【００１５】
更に、前記装飾部材２５における上端部の左右方向の所定範囲には、上方に開口する収容部２７(図３参照)が前記遊技盤面２０ａに臨むよう開設されており、該収容部２７に遊技盤面２０ａを照明する第１の発光手段３５が配置されている。なお、前記収容部２７の上方開口は合成樹脂製の第１透光性部材２８により閉成されて、前記第１の発光手段３５を点灯・点滅した際の光を遊技盤面２０ａ側に透過させ得るようになっている。また、前記装飾部材２５の上端部は、図１または図２に示すように、左右方向の略中心位置が上方に膨出する略円弧状に形成されており、装飾部材２５(第１透光性部材２８)上でパチンコ球が滞留するのを防止している。
【００１６】
ここで、前記第１の発光手段３５は、可撓性を有するフレキシブル基板３６の表面に配設された複数のＬＥＤ(発光体)３７と、該ＬＥＤ３７の前側に配置され、鏡面加工が施されている反射板３８とから構成され、図２に示すように、該フレキシブル基板３６を前記装飾部材２５の上端部の円弧形状に倣う形状に湾曲させた状態で前記収容部２７に配設される。ここで、前記第１の発光手段３５は、前記各ＬＥＤ３７が前記第１透光性部材２８に対向するよう前記収容部２７に配設されると共に、各ＬＥＤ３７から前記第１透光性部材２８までの距離が略一定となるよう構成されている。なお、実施例では、前記ＬＥＤ３７として、広範囲にわたって光を照射可能な、所謂表面実装型のＬＥＤ３７を採用している。
【００１７】
すなわち、実施例のパチンコ機１０は、前記ＬＥＤ３７の点灯・点滅時には、前記第１透光性部材２８を介して遊技盤２０の上方位置を照明し得ると共に、該各ＬＥＤ３７の点灯・点滅時に前方(遊技盤面２０ａから離間する方向)に照射される光を、各ＬＥＤ３７の前側に設けた前記反射板３８で遊技盤面２０ａ側に反射して、遊技盤２０の上方位置をより明るく照明するように構成されている。なお、実施例では、前記反射板３８をＬＥＤ３７の前側に配置するよう構成したが、該反射板３８をＬＥＤ３７の側方(すなわち、収容部２７の側壁部側)に設けるよう構成し、側方に照射された光を遊技板面２０ａ側に反射するようにしてもよい。また、前記第１の発光手段３５に接続する配線は、前記遊技盤２０に開口した前記第１の取付用開口部２４を介して遊技盤２０の裏側に導出されて、前記機構セット盤に設けた対応の制御装置に接続される。
【００１８】
図２または図３に示すように、前記装飾部材２５の複数箇所(実施例では３箇所)には、第２の発光手段３９が配設されると共に、各第２の発光手段３９の前側を合成樹脂製の第２透光性部材３０で覆うよう構成してある。ここで、前記第２の発光手段３９は、平板状の基板４０にＬＥＤ３７を配設して形成されると共に、各ＬＥＤ３７が前方(すなわち遊技者側)に向けて光を照射するよう前記装飾部材２５に取付けられており、各ＬＥＤ３７(第２の発光手段３９)を点灯・点滅することで、遊技盤２０の前方を照明して装飾性を向上するようになっている。なお、前記第２透光性部材３０には、エンボス加工等の光拡散処理が施されており、第２の発光手段３９を点灯・点滅した際の装飾性を向上すると共に、遊技者側から第２の発光手段３９を視認し得ないようにしている。また、前記第２の発光手段３９に接続する配線は、前述の第１の発光手段３５と同様に、前記遊技盤２０に開口した第１の取付用開口部２４を介して遊技盤２０の裏側に導出されて、前記機構セット盤に設けた対応の制御装置に接続するようになっている。
【００１９】
そして、前記遊技盤２０における前記装飾部材２５の下方位置には、前後に開口する第２の取付用開口部(図示せず)が開設されており、該第２の取付用開口部に、パチンコ球の入賞により前記図柄表示装置１８での図柄変動ゲームを開始させる始動入賞具(第２の遊技部品)３１が取付けられている(図１または図２参照)。また、前記遊技盤２０における始動入賞具３１から所定距離下方に離間する位置に開設した図示しない第３の取付用開口部には、図柄変動ゲームの結果により発生する特別遊技(所謂大当り)に際して開放する大型電動式の入賞装置３２が配設されている(図１または図２参照)。更に、前記遊技盤２０における遊技領域２１内の外周位置には、第４の取付用開口部(図示せず)が開設されており、この第４の取付用開口部に、装飾ランプ(第２の遊技部品)３３,３３を取付けてある。
【００２０】
ここで、前記始動入賞具３１および装飾ランプ３３,３３の夫々は、図２に示すように、前方に向けて光を照射する第２の発光手段３９が夫々配設されると共に、該第２の発光手段３９の前方を合成樹脂製の第２透光性部材３０で覆うよう構成されている。なお、前記始動入賞具３１および装飾ランプ３３,３３における前記第２の発光手段３９および第２透光性部材３０の夫々は、前記装飾部材２５に設けたものと同一構成のため、同一の符号を付して詳細な説明は省略する。従って、前記始動入賞具３１および装飾ランプ３３,３３に設けた第２の発光手段３９のＬＥＤ３７を点灯・点滅することで、遊技盤２０の前方を照明して装飾性を向上するようになっている。なお、前記始動入賞具３１および装飾ランプ３３,３３における第２の発光手段３９に接続した配線は、各始動入賞具３１および装飾ランプ３３,３３の夫々に対応する前記第２および第４の取付用開口部を介して遊技盤２０裏側に導出されて、前記機構セット盤に設けた制御装置に接続するよう構成されている。
【００２１】
〔実施例の作用〕
次に、前述した実施例に係る遊技機の作用につき以下説明する。実施例のパチンコ機１０は、前記装飾部材２５の上端部に上方に開口する収容部２７を形成して、該収容部２７に第１の発光手段３５を配設すると共に、当該収容部２７の上方開口を第１透光性部材２８で閉成するよう構成してある。また、前記第１の発光手段３５に設けたＬＥＤ３７の夫々が、前記第１透光性部材２８に向けて光を照射するよう配置してある。従って、前記第１の発光手段３５のＬＥＤ３７を点灯・点滅すると、第１透光性部材２８を介して装飾部材２５の上方に光が照射されて、遊技領域２１の上方位置における遊技盤面２０ａが照明されるから、遊技盤２０の装飾性が向上されて、遊技の興趣が増大される。
【００２２】
ここで、遊技店においてパチンコ機１０が配置される所謂島設備には、パチンコ機１０の上方位置に呼出ランプが設置されることが多く、該呼出ランプの影になって前記遊技盤面２０ａの上方位置が薄暗くなり易い。また、近年はパチンコ機１０の装飾性を高めるために前記前枠１３の上方位置が遊技者側(前側)に大きく張り出すよう形成されたものが多数提案されており、該前枠１３の張出部の影になって前記遊技盤面２０ａの上方位置が薄暗くなっている。これに対して、実施例のパチンコ機１０では、図２に示すように、前記第１の発光手段３５を、前記遊技領域２１に設けられる各種遊技部品２５,３１,３２,３３の内の最上部に位置する装飾部材２５に配設し、かつ該第１の発光手段３５が装飾部材２５の上方を照明するよう構成してある。すなわち、薄暗くなりがちな遊技盤面２０ａの上方位置を効果的に照明できるから、遊技盤２０の装飾性を飛躍的に向上させ得る。
【００２３】
また、従来のように、前記外レール２３ａ(案内レール２３)の外側に照明装置を配設し、該照明装置により遊技領域２１内を照明するよう構成した場合には、前述したように、該外レール２３ａに開口部を開設する等の加工を施す必要が生じ、一般的に使用される汎用の案内レール２３をそのまま使用することはできない。これに対し、実施例のパチンコ機１０では、前記遊技領域２１の内側に設けた装飾部材２５に前記第１の発光手段３５を配設している。従って、前記外レール２３ａ(案内レール２３)を加工することなく汎用の外レール２３ａ(案内レール２３)をそのまま使用した場合でも、遊技領域２１内の遊技盤面２０ａを確実に照明でき、かつ汎用の案内レール２３を用いることで、遊技盤製造コストの増大を防止し得る利点もある。更に、パチンコ球を案内する外レール２３ａを加工しないため、外レール２３ａに沿って打出されたパチンコ球の軌道が変化するといった不具合が生ずることもなく、所期の遊技を行なうことが可能となる。
【００２４】
そして、一般的なパチンコ機１０の遊技盤２０には、前記図柄表示装置１８を装飾する前記装飾部材２５が取付けられることから、何れのパチンコ機１０の遊技盤２０にも第１の取付用開口部２４は開設される。従って、前記装飾部材２５に第１の発光手段３５を設けることにより、該第１の発光手段３５に接続する配線を装飾部材２５の第１の取付用開口部２４を介して遊技盤２０の裏側に導出することができる。すなわち、前記案内レール２３の外側に照明装置を配設する場合では、該発光装置用の開口部を前記遊技盤２０に新たに開設する必要を生ずるが、装飾部材２５に第１の発光手段３５を配設することで、遊技盤２０の加工コストを低減し得る利点がある。更に、一般的に前記装飾部材２５にはパチンコ機１０の前方を照明する前記第２の発光手段３９が配設されて、パチンコ機１０の装飾性を向上するよう構成されるため、該装飾部材２５に第１の発光手段３５を配設した場合には、両発光手段３５,３９に接続する配線を一緒に取り回しでき、配線の接続作業の簡略化を図り得る。また、前記案内レール２３の外側に照明装置を別途配設するに際しては、前記装飾部材用の成形型と、該照明装置用の成形型とを作成しなければならない。これに対して、実施例のように、前記装飾部材２５に第１の発光手段３５を配設する構成であれば、該装飾部材用の成形型を作成するだけでよいから、遊技盤製造コストの低減を図り得る利点もある。
【００２５】
また、実施例では、前記第１の発光手段３５として、光の照射範囲の広い表面実装型のＬＥＤ３７を採用したことで、該第１の発光手段３５の配置位置に多少のズレがある場合でも遊技盤面２０ａを確実に照明することができる。すなわち、前記ＬＥＤ３７が広範囲に光を照射することで、前記収容部２７に配設するときの第１の発光手段３５の姿勢を厳密に調節しなくとも遊技盤面２０ａを照明できるから、当該第１の発光手段３５の組付け作業を簡略し得る。一方、前記第１の発光手段３５として光の照射範囲の広いＬＥＤ３７を採用した場合には、該ＬＥＤ３７(第１の発光手段３５)を点灯・点滅した際に、遊技盤面２０ａとは異なる方向(すなわち前方)に対して照射されるから、該盤面２０ａへの照明効率が低下する欠点がある。そこで、実施例では、前記ＬＥＤ３７の前側に反射板３８を備えるよう前記第１の発光手段３５を構成し、該ＬＥＤ３７を点灯・点滅した際に遊技盤面２０ａとは異なる方向へ洩れた光を反射板３８で盤面２０ａ側に反射するようにしたから、遊技盤面２０ａを効率的に照明して、薄暗くなりやすい遊技盤面２０ａの上方位置を確実に明るくすることが可能である。
【００２６】
ところで、前記装飾部材２５に配設した前記第１の発光手段３５が、前記始動入賞具３１や装飾ランプ３３,３３に向けて照明するよう構成した場合には、該第１の発光手段３５からの光と、該始動入賞具３１や装飾ランプ３３,３３に設けた第２の発光手段３９からの光と干渉して、該第２の発光手段３９による発光演出効果を減殺する虞がある。そこで、実施例のように、前記第２の発光手段３９を備えた始動入賞具３１や装飾ランプ３３,３３の配設位置以外の方向(すなわち遊技盤２０の上方位置)を、前記第１の発光手段３５で照明するよう構成することで、該第２の発光手段３９による発光演出を妨げることなく遊技盤２０の装飾効果を向上させ得る利点がある。
【００２７】
〔変更例〕
なお、本発明に係る遊技機としては、前述した実施例のものに限られるものではなく、種々の変更が可能である。実施例では、遊技盤面を照明する発光手段を設ける遊技部品としてセンター役物と称される装飾部材を例示すると共に、遊技領域の前方(遊技者側)を照明する第２の発光手段を備える第２の遊技部品として始動入賞具や装飾ランプを例示したが、これに限定されるものではなく、遊技盤の遊技領域内に配置されるものであれば、遊技部品および第２の遊技部品として採用可能である。すなわち、前記遊技領域内に配置される部材であって、かつ遊技領域内の遊技盤面を照明する発光手段を備えたものが前記遊技部品に該当し、また遊技領域内に配置される部材であって、かつ前方(遊技者側)を照明する第２の発光手段を備えたものが前記第２の遊技部品に該当する。
【００２８】
例えば、図４に示すように、遊技盤２０の下方側の遊技盤面２０ａを照明するよう始動入賞具４１の下端部に第１の発光手段４５を構成してもよい。この場合には、前記第１の発光手段４５を配設する収容部４７を、前記始動入賞具４１に下方に開口するよう形成して、該収容部４７に第１の発光手段４５が下方に向けて光を照射するよう配設される。すなわち、前記第１の発光手段４５を点灯・点滅した場合に、前記始動入賞具４１の下方に配設されている前記入賞装置３２側が照明される。このように、大当りの発生時に遊技者の関心が集まる入賞装置３２側を前記第１の発光手段４５で照明するよう構成することで、装飾効果を一段と向上し得ると共に、該入賞装置３２への遊技球の入賞を見易くして遊技の興趣を向上する効果が得られる。なお、図４において実施例と同一の機能を有する部材に、同一の符号を付して詳細な説明は省略する。
【００２９】
また、実施例では、１つの部材(装飾部材)に、遊技盤面を照明する発光手段(第１の発光手段)を設けると共に、前方(遊技者側)を照明する第２の発光手段も設け、該部材(装飾部材)が前記遊技部品および第２の遊技部品の何れにも該当するよう構成したが、両発光手段を１つの部材に配設する必要性はなく、各発光手段を夫々独立して設けるようにしてもよい。なお、遊技盤面を照明する発光手段や前方を照明する第２の発光手段としては、実施例のような表面実装型のＬＥＤに限定されるものではなく、所謂砲弾型のＬＥＤであってもよく、その他豆球等の従来公知の各種発光手段を採用し得る。なお、実施例では、前記遊技盤面を照明する発光手段(第１の発光手段)を構成する発光体(ＬＥＤ)を、遊技盤面に向けて光を照射するよう配置すると共に、該発光体から遊技板面とは異なる方向に漏れた光を反射するよう反射板を配置したが、該発光体を反射板と対向するよう配置して積極的に反射板に向けて光を照射するよう構成し、反射板の反射光で遊技盤面を照明するようにしてもよい。また、実施例では、遊技機としてパチンコ機を例示したが、これに限られるものではなく、アレンジボール機等であってもよく、案内レールにより遊技球を媒体として遊技を行なう遊技領域が画成されるものであれば、何れの遊技機も採用し得る。
【図面の簡単な説明】
【００３０】
【図１】本発明の実施例に係るパチンコ機を示す正面図である。
【図２】実施例に係る遊技盤を示す正面図である。
【図３】実施例に係る遊技盤および装飾部材における第１の発光手段の配設位置を概略で示す縦断面図である。
【図４】変更例に係る始動入賞具を示す正面図である。
【００３１】
２０  遊技盤
２０ａ  遊技盤面
２１  遊技領域
２３  案内レール
２５  装飾部材(遊技部品、第２の遊技部品)
３１  始動入賞具(第２の遊技部品)
３２  入賞装置
３３  装飾ランプ(第２の遊技部品)
３５  第１の発光手段(発光手段)
３７  ＬＥＤ(発光体)
３８  反射板
３９  第２の発光手段
４１  始動入賞具(遊技部品)
４５  第１の発光手段(発光手段)
【図１】
2006051117.tif 000003
【図２】
2006051117.tif 000004
【図３】
2006051117.tif 000005
【図４】
2006051117.tif 000006